(57)【要約】【課題】第１の画像データから第２の画像データへと急激に切り替わることを回避でき、ワイプ画像の品位を向上させる。【解決手段】フレームメモリ１，２は、第１，第２の画像データを記憶する。ワイプパターン用メモリ８は、ワイプパターンに対応したグラデーション画像を記憶する。加算部６は、レジスタ５の出力値Ａに１，…，ｎ（ｎは１以上の整数）をそれぞれ加算した加算値を発生する。比較部７は、出力値Ａ，Ａ＋１，…，Ａ＋ｎとワイプパターン用メモリ８の出力値Ｂとを比較する。エンコーダ９は、比較部７の比較出力のパターンに応じて混合比制御データを生成する。ミキサ３は、混合比制御データに応じて第１の画像データと第２の画像データとを混合する。【選択図】      図１
2004282448.tif 000002
【特許請求の範囲】
【請求項１】
第１の画像データよりなる映像信号と第２の画像データよりなる映像信号とを合成する映像信号合成装置において、
前記第１の画像データを記憶する第１のフレームメモリと、
前記第２の画像データを記憶する第２のフレームメモリと、
所定のワイプパターンに対応したグラデーション画像を記憶するワイプパターン用メモリと、
前記第１及び第２の画像データのフレーム毎に更新される第１の値を発生する発生手段と、
前記第１の値に１，２，…，ｎ（ｎは１以上の整数）をそれぞれ加算した加算値を発生する第１〜第ｎの加算器よりなる加算部と、
前記第１の値と前記ワイプパターン用メモリより出力される第２の値とを比較する第１の比較器と、前記第１〜第ｎの加算器より出力された加算値と前記第２の値とをそれぞれ比較する第２〜第（ｎ＋１）の比較器とよりなる比較部と、
前記第１〜第（ｎ＋１）の比較器の比較出力のパターンに応じて混合比制御データを生成する混合比制御データ生成手段と、
前記混合比制御データに応じて前記第１の画像データと前記第２の画像データとを混合する混合手段とを備えて構成したことを特徴とする映像信号合成装置。
【発明の詳細な説明】
【０００１】
【発明の属する技術分野】
本発明は、ビデオテロッパ，スイッチャ，特殊効果装置等に用いられ、第１の画像データから第２の画像データへと切り替わるワイプを行う映像信号合成装置に関する。
【０００２】
【従来の技術】
第１の画像データから第２の画像データへと切り替わるワイプを行う映像信号合成装置が知られている（特許文献１参照）。この種の映像信号合成装置においては、所望のワイプパターンに対応したグラデーションデータを用いる。グラデーションデータを用いることによって、画像が徐々に切り替わっていくワイプを実現することができる。
【０００３】
【特許文献１】
特開平３−１３６４８０号公報（第１図）
【０００４】
【発明が解決しようとする課題】
第１の画像データから第２の画像データへと切り替わるワイプを行う場合、第１の画像データから第２の画像データへと急激に切り替わることにより、ワイプ画像の品位を損ねてしまうという問題点があった。
【０００５】
本発明はこのような問題点に鑑みなされたものであり、第１の画像データから第２の画像データへと切り替わるワイプを行う際に、第１の画像データから第２の画像データへと急激に切り替わることを回避でき、ワイプ画像の品位を向上させることができる映像信号合成装置を提供することを目的とする。
【０００６】
【課題を解決するための手段】
本発明は、上述した従来の技術の課題を解決するため、第１の画像データよりなる映像信号と第２の画像データよりなる映像信号とを合成する映像信号合成装置において、前記第１の画像データを記憶する第１のフレームメモリ（１）と、前記第２の画像データを記憶する第２のフレームメモリ（２）と、所定のワイプパターンに対応したグラデーション画像を記憶するワイプパターン用メモリ（８）と、前記第１及び第２の画像データのフレーム毎に更新される第１の値を発生する発生手段（４，５）と、前記第１の値に１，２，…，ｎ（ｎは１以上の整数）をそれぞれ加算した加算値を発生する第１〜第ｎの加算器（６１〜６ｎ）よりなる加算部（６）と、前記第１の値と前記ワイプパターン用メモリより出力される第２の値とを比較する第１の比較器（７０）と、前記第１〜第ｎの加算器より出力された加算値と前記第２の値とをそれぞれ比較する第２〜第（ｎ＋１）の比較器（７１〜７ｎ）とよりなる比較部（７）と、前記第１〜第（ｎ＋１）の比較器の比較出力のパターンに応じて混合比制御データを生成する混合比制御データ生成手段（９）と、前記混合比制御データに応じて前記第１の画像データと前記第２の画像データとを混合する混合手段（３）とを備えて構成したことを特徴とする映像信号合成装置を提供するものである。
【０００７】
【発明の実施の形態】
以下、本発明の映像信号合成装置について、添付図面を参照して説明する。図１は本発明の映像信号合成装置の一実施形態を示すブロック図、図２は図１中のワイプパターン用メモリ８を説明するための図、図３は本発明の映像信号合成装置の動作を説明するための図である。
【０００８】
図１において、フレームメモリ１には第１の画像データよりなる映像信号が入力され、フレームメモリ２には第２の画像データよりなる映像信号が入力される。第１，第２の画像データは例えば図示していないホストパソコンより出力される。第１，第２の画像データをフレームメモリ１，２に一旦書き込んで読み出すのは、第１，第２の画像データの同期を取るためである。フレームメモリ１，２より出力された第１，第２の画像データは、ミキサ３によって合成されて出力される。ミキサ３においてどのように合成するかは、後述するマイクロコントローラ４〜エンコーダ９の制御による。
【０００９】
ワイプパターン用メモリ８はフレームメモリよりなり、一例として図２に示すようなグラデーション画像を記憶している。図２に示すように、本実施形態におけるグラデーション画像は、いわゆるクロックワイプを実現するため、中心から回転方向に順次輝度値が上昇していくパターンとなっている。時計の１２時の位置から右回りに黒から白へと順次変化していく。このグラデーション画像は、例えば８ビットで表されている。ワイプパターン用メモリ８の出力値をＢとする。
【００１０】
マイクロコントローラ４は、ワイプの実行期間内（本実施形態では２５６フレーム期間）で０〜２５５の値を順次発生し、第１，第２の画像データそれぞれのフレーム毎のタイミングでそれぞれの値をセットする。マイクロコントローラ４からの出力値はレジスタ５に保持される。レジスタ５に保持されて出力された値をＡとする。レジスタ５からの出力値Ａは、少なくとも１つの加算器よりなる加算部６と、少なくとも２つの比較器よりなる比較部７へと供給される。加算部６は、ｎ個の加算器６１…６ｎ（ｎは１以上の整数）を有する。比較部７は、ｎ＋１個の比較器７０…７ｎ（ｎは１以上の整数）を有する。
【００１１】
レジスタ５の出力値Ａは、加算器６１及び比較器７０に入力される。加算器６１は入力された出力値Ａに１を加算してＡ＋１を比較器７１に入力する。加算器６ｎは前段の加算器６ｎ−１の出力値Ａ＋ｎ−１に１を加算してＡ＋ｎを比較器７ｎに入力する。比較器７０…７ｎは、レジスタ５または加算器６１〜６ｎの出力値Ａ〜Ａ＋ｎと、ワイプパターン用メモリ８の出力値Ｂとを比較する。比較器７０…７ｎは、レジスタ５または加算器６１〜６ｎの出力値Ａ〜Ａ＋ｎがワイプパターン用メモリ８の出力値Ｂを越えているとき１を出力し、それ以外のとき０を出力する。
【００１２】
例えば、マイクロコントローラ４がレジスタ５に２１という値をセットしたとする。２１という値は、図２に示すグラデーション画像において、時計の１時の位置にあるとする。比較器７０の出力は、時計の１２時から１時までの範囲では１となり、１時を過ぎてから１２時に至るまでの範囲で０となる。比較器７１は、レジスタ５の出力値Ａ（ここでは２１）ではなく、２２（＝２１＋１）と、ワイプパターン用メモリ８の出力値Ｂとを比較するので、比較器７１の出力は、時計の１２時から１時を若干越えた位置までの範囲で１となり、その後０となる。同様に、比較器７ｎの出力が１となる範囲はさらに回転方向に進んだ位置まで伸びることとなる。
【００１３】
図３に、比較器７０…７ｎの出力値の変化を示している。図３では、ｎを３とした場合について示している。比較器７０…７３の出力値は、（１，１，１，１），（０，１，１，１），（０，０，１，１），（０，０，０，１），（０，０，０，０）のいずれかのパターンとなる。レジスタ５の出力値Ａを０から２５５へと順次増加させると、図２に示すグラデーション画像におけるそれぞれの出力値Ａに対応し位置で、比較器７０…７３の出力値は、上記の５つのパターンで順次変化していく。
【００１４】
比較器７０…７ｎの出力値は、エンコーダ９に入力される。エンコーダ９は、比較器７０…７ｎの出力値のパターンに応じて、フレームメモリ１，２より出力された第１，第２の画像データの混合比を表す混合比制御データを生成する。図３の例では、比較器７０…７４の出力値がパターン（１，１，１，１）であるときに第１の画像データと第２の画像データとの混合比を１００：０、パターン（０，１，１，１）であるときに混合比を７５：２５、パターン（０，０，１，１）であるときに混合比を５０：５０、パターン（０，０，０，１）であるときに混合比を２５：７５、パターン（０，０，０，０）であるときに混合比を０：１００としている。
【００１５】
エンコーダ９によって生成された混合比制御データは、ミキサ３の制御端子に入力される。ミキサ３は、制御端子に入力され混合比制御データに基づいてフレームメモリ１，２より出力された第１，第２の画像データを混合する。ミキサ３より出力される合成画像は、時計の針が１２時から右回りに回って１２時に戻るのに合わせて、第１の画像データから順次第２の画像データへと切り替わるワイプ画像となる。
【００１６】
このとき、本実施形態では、第１の画像データから順次第２の画像データへと切り替わる際に、第１の画像データから順次第２の画像データへと急激に切り替わるのではなく、切り替わりの境界部分でグラデーションを有することとなる。よって、第１の画像データから第２の画像データへと切り替わるワイプを行う際に、第１の画像データから第２の画像データへと急激に切り替わることがなく、ワイプ画像の品位を向上させることができる。
【００１７】
【発明の効果】
以上詳細に説明したように、本発明の映像信号合成装置は、第１の画像データから第２の画像データへと切り替わるワイプを行う際に、第１の画像データから第２の画像データへと急激に切り替わることを回避でき、ワイプ画像の品位を向上させることができる。
【図面の簡単な説明】
【図１】本発明の一実施形態を示すブロック図である。
【図２】図１中のワイプパターン用メモリ８を説明するための図である。
【図３】本発明の動作を説明するための図である。
【符号の説明】
１，２  フレームメモリ
３  ミキサ（混合手段）
４  マイクロコントローラ（発生手段）
５  レジスタ（発生手段）
６  加算部
６１〜６ｎ  加算器
７  比較部
７０〜７ｎ  比較器
８  ワイプパターン用メモリ
９  エンコーダ（混合比制御データ生成手段）
【図１】
2004282448.tif 000003
【図２】
2004282448.tif 000004
【図３】
2004282448.tif 000005